(57)【要約】  光学ファインダと電子ファインダの利便性を兼ね備えると共に、ファインダの視認性低下を防ぎながらも製造コストを低く抑えることが可能な撮像装置を提供する。デジタルカメラ１０の制御部３２は、ＥＶＦモードでは、対物光学系１８の部材１８ｂ，１８ｃ，１８ｄを光軸Ｌに沿って被写体側に移動させて、部材１８ｄと結像面２１との距離を大きく確保した状態で、結像面２１の位置に表示部１９を挿入させる。ＯＶＦモードでは、制御部３２は、対物光学系１８は予め決められた位置に固定し、表示部１９は対物光学系１８と接眼光学系２０との間から退避させる。
2013146021.tif 000002
【特許請求の範囲】
【請求項１】
対物光学系を有し、前記対物光学系によって結像面に結像された被写体を観察可能な光学ファインダを有する撮像装置であって、
前記光学ファインダは、前記結像面よりも接眼窓側に設けられる位置固定の接眼光学系と、前記結像面の位置に挿脱自在に設けられる表示装置とを含み、
前記表示装置の挿脱を制御する表示装置制御部と、
前記対物光学系を構成する光学部材の位置を制御する対物光学系制御部と、を備え、
前記対物光学系制御部は、前記表示装置に表示される画像を前記接眼窓から観察する電子ファインダモードにおいて、前記対物光学系の最も前記結像面側にある光学部材の位置を、前記結像面に結像される被写体を前記接眼窓から観察する光学ファインダモードにおける当該位置とは変えて、前記結像面と前記結像面に対し垂直かつ被写体側の方向にある前記対物光学系を構成する光学部材との距離を、前記光学ファインダモードにおける当該距離よりも大きくする位置制御を行い、
前記表示装置制御部は、前記電子ファインダモードにおいては、前記対物光学系制御部の前記位置制御により、前記距離が大きくなった状態で、前記結像面の位置に前記表示装置を挿入させる制御を行う撮像装置。
【請求項２】
請求項１記載の撮像装置であって、
前記対物光学系の最も前記結像面側にある光学部材は、前記光学ファインダモードにおいて前記結像面近傍に配置されるフィールドレンズである撮像装置。
【請求項３】
請求項２記載の撮像装置であって、
前記電子ファインダモードにおいて、前記対物光学系制御部は、前記フィールドレンズを、前記光学ファインダモードにおける状態よりも前記光軸方向において被写体側に移動させることにより、前記距離を大きくする撮像装置。
【請求項４】
請求項２記載の撮像装置であって、
前記電子ファインダモードにおいて、前記対物光学系制御部は、前記フィールドレンズを前記対物光学系の光軸上から退避させることにより、前記距離を大きくする撮像装置。
【請求項５】
請求項１記載の撮像装置であって、
前記電子ファインダモードにおいて、前記対物光学系制御部は、前記対物光学系の最も前記結像面側にある光学部材を、前記光学ファインダモードにおける状態よりも前記対物光学系の光軸方向において被写体側に移動させることにより、前記距離を大きくする撮像装置。
【請求項６】
請求項１記載の撮像装置であって、
前記電子ファインダモードにおいて、前記対物光学系制御部は、前記対物光学系の最も前記結像面側にある光学部材を、前記光学ファインダモードにおける状態よりも前記対物光学系の光軸に交差する方向に移動させることにより、前記距離を大きくする撮像装置。
【請求項７】
請求項１〜６のいずれか１項記載の撮像装置であって、
前記対物光学系は光軸方向に移動可能なズームレンズを含む撮像装置。
【発明の詳細な説明】
【技術分野】
【０００１】
本発明は、光学ファインダを有する撮像装置に関する。
【背景技術】
【０００２】
固体撮像素子から出力される撮影画像信号をデジタル処理して得た撮影画像データを記録媒体に保存するデジタルカメラ等の撮像装置には、被写体の構図等を目視するために、光学ファインダを搭載しているものがある。【０００３】
このような光学ファインダとして、表示部を内蔵し、対物光学系を通して得られる光学像に当該表示部に表示される画像を重畳させた像を接眼窓から観察可能にしたファインダ装置が知られている（例えば特許文献１参照）。【０００４】
特許文献１に記載されているようなファインダ装置は、光学ファインダと電子ファインダの利便性を兼ね備えるため、その利便性は高い。しかし、一般的なカメラに用いられている光学ファインダと比べると、表示部に表示される画像を接眼窓に導くための光学系等の新たな構成の追加が必要となるため、コストは高くなる。【０００５】
光学ファインダと電子ファインダの利便性を兼ね備える撮像装置としては特許文献２に開示されたものも知られている。【０００６】
特許文献２は、被写体の光学像を接眼窓から観察可能なＯＶＦモードと、表示部に表示される画像を接眼窓から観察可能なＥＶＦモードとのいずれかを設定することのできる撮像装置を開示している。【０００７】
特許文献２に記載の撮像装置は、ＯＶＦモード時には、表示部と表示部に表示される画像光を接眼窓に導くための光学系とがファインダ光路上から退避させられることで、対物光学系を通して得られる光学像を、接眼光学系を通して接眼窓から観察可能となる。【０００８】
一方、ＥＶＦモード時には、接眼光学系の一部がファインダ光路上から退避させられると共に、その一部が退避した位置に、表示部に表示される画像を接眼窓に導くための光学系が挿入されることで、表示部に表示された画像を接眼窓から観察可能となる。【０００９】
特許文献２に記載された撮像装置も、一般的なカメラに用いられている光学ファインダの構成に、ＥＶＦモードに必要な光学系を追加する必要があるため、特許文献１と同様にコスト増が課題となる。【００１０】
特許文献３には、撮影光学系によって光学像が結像する位置にある焦点板とペンタプリズムとの間に表示部を挿脱自在に設けることで、ＯＶＦモードとＥＶＦモードとを切り替え可能にした撮像装置が記載されている。【００１１】
特許文献３に記載の撮像装置は、焦点板とペンタプリズムとの間に表示部を挿脱する構成であるため、ＥＶＦモード用の別の光学系は不要となり、コスト増の心配はない。
【先行技術文献】
【特許文献】
【００１２】
【特許文献１】特開平３−２９２０６７号公報
【特許文献２】特開２０１０−２６３５３８号公報
【特許文献３】特開２００８−１５８４４１号公報
【発明の概要】
【発明が解決しようとする課題】
【００１３】
しかし、特許文献３に記載の撮像装置では、コスト増の心配は無いものの、焦点板とペンタプリズムとの間の狭いスペースに表示部を出し入れするため、表示部の挿脱時において発生する埃等の異物が焦点板やペンタプリズムに付着する可能性があり、この異物によってファインダの視認性が低下するおそれがある。
本発明は、上記事情に鑑みてなされたものであり、光学ファインダと電子ファインダの利便性を兼ね備えると共に、ファインダの視認性低下を防ぎながらも製造コストを低く抑えることが可能な撮像装置を提供することを目的とする。
【課題を解決するための手段】
【００１４】
本発明の撮像装置は、対物光学系を有し、前記対物光学系によって結像面に結像された被写体を観察可能な光学ファインダを有する撮像装置であって、光学ファインダは、結像面よりも接眼窓側に設けられる位置固定の接眼光学系と、結像面の位置に挿脱自在に設けられる表示装置とを含み、表示装置の挿脱を制御する表示装置制御部と、対物光学系を構成する光学部材の位置を制御する対物光学系制御部と、を備え、対物光学系制御部は、表示装置に表示される画像を接眼窓から観察する電子ファインダモードにおいて、対物光学系の最も結像面側にある光学部材の位置を、結像面に結像される被写体を接眼窓から観察する光学ファインダモードにおけるその位置とは変えて、結像面と結像面に対し垂直かつ被写体側の方向にある対物光学系を構成する光学部材との距離を、光学ファインダモードにおけるその距離よりも大きくする位置制御を行い、表示装置制御部は、電子ファインダモードにおいては、対物光学系制御部の位置制御により、結像面と結像面に対し垂直かつ被写体側の方向にある対物光学系を構成する光学部材との距離が大きくなった状態で、結像面の位置に表示装置を挿入させる制御を行うものである。
【発明の効果】
【００１５】
本発明によれば、光学ファインダと電子ファインダの利便性を兼ね備えると共に、ファインダの視認性低下を防ぎながらも製造コストを低く抑えることが可能な撮像装置を提供することができる。
【図面の簡単な説明】
【００１６】
【図１】本発明の第一実施形態を説明するためのデジタルカメラ１０の外観斜視図
【図２】図１に示すデジタルカメラ１０の内部ブロック構成図
【図３】図２に示すデジタルカメラ１０におけるファインダ装置１５の内部構成を示す図
【図４】図１に示すデジタルカメラ１０のＥＶＦモード時の動作を説明するための図
【図５】図１に示すデジタルカメラ１０のＥＶＦモード時の動作の別例を説明するための図
【図６】図２に示すファインダ装置１５の変形例であるファインダ装置１５ａの構成を示す図
【図７】ファインダ装置１５ａのＥＶＦモード時の動作を説明するための図
【図８】図２に示すファインダ装置１５の変形例であるファインダ装置１５ｂの構成を示す図
【図９】ファインダ装置１５ｂのＥＶＦモード時の動作を説明するための図
【発明を実施するための形態】
【００１７】
以下、本発明の実施形態について図面を参照して説明する。
【００１８】
図１は、本発明の第一実施形態を説明するためのデジタルカメラ１０の外観斜視図である。
【００１９】
デジタルカメラ１０は、矩形の筐体１１を備える。筐体１１の正面中央には、レンズ鏡筒１２が設けられている。レンズ鏡筒１２内に、撮影レンズ（焦点位置合わせ用のフォーカスレンズやズームレンズ等）１３が収納されている。
【００２０】
筐体１１の上端面の片側にはシャッターレリーズボタン１４が設けられている。筐体１１の上端面のシャッターレリーズボタン１４とは反対側の角には、ファインダ装置１５が設けられている。ファインダ装置１５の被写体側ファインダ窓１６は、筐体１１正面の角部に設けられている。被写体側ファインダ窓１６と対向する筐体１１の背面側の部分に、ファインダ装置１５の接眼窓１７が設けられている。
【００２１】
図２は、図１に示すデジタルカメラ１０の内部ブロック構成図である。
【００２２】
デジタルカメラ１０は、ＣＣＤ型の固体撮像素子２１ａと、固体撮像素子２１ａの前段に置かれた撮影光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するＡ／Ｄ変換器２６ａと、ファインダ装置１５とを備える。ここで撮影光学系は、撮影レンズ１３（ズームレンズを１３ａ、フォーカスレンズを１３ｂとしている）と、絞り（アイリス）２４と、を含んで構成されている。
【００２３】
なお、固体撮像素子２１ａは、図２の例ではＣＣＤ型であるが、ＣＭＯＳ型等の他の形式の固体撮像素子でも良い。
【００２４】
デジタルカメラ１０は、更に、Ａ／Ｄ変換器２６ａから出力されるデジタルの撮影画像信号を取り込む画像入力コントローラ３１と、このデジタルカメラ１０の全体を統括制御する制御部３２と、画像入力コントローラ３１によって取り込まれた撮影画像信号を画像処理して撮影画像データを生成する画像信号処理回路３３と、ワークメモリとして使用するＲＡＭや各種データを記憶するＲＯＭ等を含むメモリ３６と、画像処理後の撮影画像データをＪＰＥＧ画像やＭＰＥＧ画像に圧縮する圧縮処理回路３９と、カメラ背面等に設けられた液晶表示装置４０に撮影画像やライブビュー画像を表示させたり、各種画像をファインダ装置１５内の後述する表示部１９に表示させたりする表示制御部４１と、記録媒体４２に撮影画像データを記録するメディアコントローラ４３と、これらを相互接続するバス４４と、を備える。
【００２５】
制御部３２には、図１に示したシャッターレリーズボタン１４等を含む操作部５０が接続されている。この操作部５０を介して入力されるユーザ指示に基づき、制御部３２はデジタルカメラ１０を制御する。
【００２６】
デジタルカメラ１０は、更に、ズームレンズ１３ａの駆動モータに駆動パルスを供給するモータドライバ４６と、フォーカスレンズ１３ｂの駆動モータに駆動パルスを供給するモータドライバ４７と、絞り２４の絞り制御を行う駆動モータに駆動信号を供給するモータドライバ４８と、後述するファインダ装置１５内のＯＶＦシャッタ２２の位置制御を行う駆動モータに駆動信号を供給するモータドライバ５３と、固体撮像素子２１ａに駆動タイミングパルスを供給するタイミングジェネレータ（ＴＧ）４９と、後述するファインダ装置１５内の表示部１９の位置制御を行う駆動モータに駆動信号を供給するモータドライバ５１と、後述するファインダ装置１５内の対物光学系の位置制御を行う駆動モータに駆動信号を供給するモータドライバ５２と、を備える。モータドライバ４６，４７，４８，５１，５２，５３及びＴＧ４９は、制御部３２からの指令に基づいて動作する。また、ＣＤＳＡＭＰ２５ａも制御部３２からの指令に基づいて動作する。
【００２７】
図３は、図２に示すデジタルカメラ１０におけるファインダ装置１５の内部構成を示す図である。
【００２８】
ファインダ装置１５は、被写体側ファインダ窓１６と、接眼窓１７と、ＯＶＦシャッタ２２と、対物光学系１８と、接眼光学系２０と、表示部１９と、を備える。
【００２９】
対物光学系１８は、結像面２１に被写体を結像させるものであり、一例としてレンズ１８ａ、レンズ１８ｂ、及びレンズ１８ｃと、プリズム１８ｄとから構成される。
【００３０】
対物光学系１８は、これを構成する全ての光学部材が、図示しない駆動モータによって光軸Ｌ方向における位置を変更できるようになっている。この駆動モータは図１に示したモータドライバ５２から供給される駆動信号にしたがって対物光学系１８の位置を制御する。
【００３１】
被写体側ファインダ窓１６から入射した被写体光は、レンズ１８ａ、レンズ１８ｂ、レンズ１８ｃを通過した後、プリズム１８ｄに入射され、ここで進行方向が光軸Ｌに対し斜め方向に変わって、プリズム１８ｄの出射面１８ｆから出射される。プリズム１８ｄの出射面１８ｆから出射された被写体光は、出射面１８ｆに平行な結像面２１において結像される。
【００３２】
接眼光学系２０は、結像面２１に結像された被写体を接眼窓１７から観察するために設けられる。接眼光学系２０は、一例としてプリズム２０ａと拡大レンズ２０ｂとから構成される。接眼光学系２０はファインダ装置１５内においてその位置が固定されている。
【００３３】
ＯＶＦシャッタ２２は、光軸Ｌに沿う光路上に挿脱自在に設けられている。ＯＶＦシャッタ２２は図示しない駆動モータによって位置を制御される。この駆動モータは、図２に示すモータドライバ５３によって駆動される。
【００３４】
ＯＶＦシャッタ２２は、ファインダ装置１５の光路上に挿入された閉状態と、ファインダ装置１５の光路上から退避させられた開状態とをとることができる。
【００３５】
閉状態では、ＯＶＦシャッタ２２は、被写体側ファインダ窓１６を覆う位置に挿入される。このため、この閉状態では、被写体側ファインダ窓１６に入射した被写体光はＯＶＦシャッタ２２によって遮断され、当該被写体光の接眼窓１７への入射が禁止される。
【００３６】
また、開状態では、ＯＶＦシャッタ２２は、被写体側ファインダ窓１６を覆わない位置に退避させられる。このため、この開状態では、被写体側ファインダ窓１６に入射した被写体光はＯＶＦシャッタ２２によって遮断されずに通過し、当該被写体光が接眼窓１７に入射する。
【００３７】
なお、ＯＶＦシャッタ２２は、光を吸収又は反射する板状の部材を機械的に出し入れするものであってもよいし、電気的に透過率を制御できる素子（例えば液晶シャッタ）であってもよい。
【００３８】
表示部１９は、例えば液晶表示装置によって構成されており、対物光学系１８と接眼光学系２０の間にある結像面２１の位置に挿脱自在に設けられている。表示部１９は図示しない駆動モータによって位置を制御される。この駆動モータは、図２に示すモータドライバ５１によって駆動される。
【００３９】
表示部１９は、画像表示方向を接眼光学系２０側に向けた状態で、画像の表示面が結像面２１の位置とほぼ一致するように、対物光学系１８と接眼光学系２０の間に挿入される。表示部１９が対物光学系１８と接眼光学系２０の間に挿入された状態では、表示部１９に表示される画像が、接眼光学系２０を通して接眼窓１７から観察される。
【００４０】
一方、表示部１９が対物光学系１８と接眼光学系２０の間から退避した状態では、結像面２１に結像される被写体が接眼光学系２０を通して接眼窓１７から観察される。
【００４１】
表示部１９には、表示制御部４１の制御によって、撮像素子２１ａによって撮像された画像（記録した画像の確認画像、ライブビュー画像等）が表示される。
【００４２】
デジタルカメラ１０では、表示部１９に表示される画像を接眼窓１７から観察する電子ファインダモード（ＥＶＦモード）と、対物光学系１８によって結像面２１に結像された被写体を接眼窓１７から観察する光学ファインダモード（ＯＶＦモード）とを設定可能である。
【００４３】
以下、デジタルカメラ１０におけるＯＶＦモード時とＥＶＦモード時の動作について説明する。ＯＶＦモードとＥＶＦモードの切り替えは、例えば操作部５０の操作によって可能である。
【００４４】
ＯＶＦモードに設定されると、制御部３２は、対物光学系１８の各光学部材を予め決められた位置（図３に例示した位置）に固定する。また、制御部３２は、ＯＶＦシャッタ２２を開状態に制御する。更に、制御部３２は、表示部１９を接眼光学系１８と対物光学系２０との間（結像面２１の位置）から退避させた状態に制御する。
【００４５】
これらの制御により、被写体側ファインダ窓１６から入射した被写体光が結像面２１に結像され、結像された被写体を、接眼光学系２０を通して接眼窓１７から観察可能になる。
【００４６】
ＥＶＦモードに設定されると、制御部３２は、図４に示すように、ＯＶＦシャッタ２２を閉状態に制御すると共に、対物光学系１８を被写体側ファインダ窓１６の方向に移動させる制御を行う。なお、ＥＶＦモードのとき対物光学系１８は使用しないため、対物光学系１８を被写体側に移動させても、ファイン装置１５の観察画像への影響は全く生じない。
【００４７】
制御部３２は、対物光学系１８を被写体側ファインダ窓１６の方向に移動させた状態で、表示部１９を接眼光学系１８と対物光学系２０との間に挿入させる制御を行う。
【００４８】
これらの制御により、表示部１９に表示された画像を、接眼光学系２０を通して接眼窓１７から観察可能になる。
【００４９】
なお、ＥＶＦモードからＯＶＦモードに切り替えるときは、制御部３２は、図４の状態で表示部１９を結像面２１の位置から退避させ、その後、対物光学系１８を図３の状態に戻す。
【００５０】
このように、制御部３２は、ＥＶＦモードにおいて、対物光学系１８を被写体側ファインダ窓１６の方向に移動させる制御を行う。この制御によって、結像面２１に対し垂直な方向でかつ被写体側にある対物光学系１８の光学部材であるプリズム１８ｄと、結像面２１との距離は、ＯＶＦモードのときよりも大きくなる。
【００５１】
制御部３２は、上記距離をＯＶＦモード時のときよりも大きくした状態で、表示部１９を結像面２１の位置に出し入れするため、対物光学系１８のプリズム１８ｄと表示部１９とが十分に離れた状態で表示部１９の出し入れがなされることになる。
【００５２】
この結果、表示部１９の出し入れの際に、対物光学系１８のプリズム１８ｄに埃等の異物が付着する可能性を減らすことができ、ＯＶＦモード時における観察画像の視認性低下を防ぐことができる。
【００５３】
また、デジタルカメラ１０によれば、ＯＶＦモード時に使用する接眼光学系２０を、ＥＶＦモードにおいてもそのまま使用する構成のため、ＥＶＦモードのために新たな光学系を追加する必要がない。また、ファインダ装置１５は、既存のカメラに搭載される光学ファインダにおいて、移動可能な表示部を追加すると共に、対物光学系を移動可能にするだけの改良を行えばよいため、デジタルカメラ１０の製造コスト増大を防ぐことができる。
【００５４】
このように、デジタルカメラ１０によれば、光学ファインダと電子ファインダの利便性を兼ね備えると共に、ファインダ装置１５の視認性低下を防ぎながらも製造コストを低く抑えることができる。
【００５５】
図５は、図１に示すデジタルカメラ１０のＥＶＦモード時の動作の別例を説明するための図である。
【００５６】
図４の例では、ＥＶＦモードにおいて制御部３２が、対物光学系１８全体を光軸方向において被写体側に移動させるものとした。これに対し、図５に示す変形例では、対物光学系１８のうち、プリズム１８ｄのみを移動させるものとしている。
【００５７】
制御部３２は、ＥＶＦモードが設定されると、ＯＶＦシャッタ２２を閉状態にすると共に、プリズム１８ｄを、光軸Ｌに交差する方向（図５の例では直交する方向）において接眼光学系２０から離れる方向に移動させて、プリズム１８ｄと結像面２１との距離を、ＯＶＦモード時よりも大きくする。
【００５８】
このような構成にすることでも、上記と同様の効果を得ることができる。
【００５９】
図６は、図２に示すファインダ装置１５の変形例であるファインダ装置１５ａの構成を示す図である。
【００６０】
ファインダ装置１５ａは、ファインダ装置１５において、対物光学系１８を対物光学系１８’に変更し、接眼光学系２０を接眼光学系２０’に変更したものとなっている。
【００６１】
対物光学系１８’は、位置固定のレンズ１８ａ’と、光軸Ｌ方向に移動可能なズームレンズ１８ｂ’，１８ｃ’と、光軸Ｌ方向に移動可能なプリズム１８ｄ’及びフィールドレンズ１８ｅとを含む。
【００６２】
接眼光学系２０’は、プリズム２０ａ’と拡大レンズ２０ｂ’とを備え、接眼光学系２０と同様に位置が固定される。
【００６３】
ズームレンズ１８ｂ’，１８ｃ’は、図１に示すズームレンズ１３ａと連動して光軸Ｌ上を移動するものであり、モータドライバ４６によって位置が制御される。ズームレンズ１８ｂ’，１８ｃ’が移動することで、ファインダ装置１５のＯＶＦモード時における焦点距離（画角）が変更される。
【００６４】
フィールドレンズ１８ｅは、対物光学系１８’と接眼光学系２０’の間に形成される結像面２１付近に配置される。
【００６５】
フィールドレンズ１８ｅは、結像にはほとんど寄与せず、結像面２１に集光された被写体光を接眼窓１７内に導くためのものである。結像面２１に集光される被写体光は指向性をもたず広がってしまうため、フィールドレンズ１８ｅによって指向性を持たせて、結像面２１に集光された被写体光を全て接眼窓１７に入射するようにしている。
【００６６】
この変形例では、プリズム１８ｄ’とフィールドレンズ１８ｅが図示しない駆動モータによって位置を制御される。この駆動モータは、図１に示すモータドライバ５２によって駆動される。
【００６７】
表示部１９は、対物光学系１８’と接眼光学系２０’の間の結像面２１の位置に挿脱自在に設けられ、図２と同様に、モータドライバ５１によって位置が制御される。
【００６８】
ファインダ装置１５ａを搭載するデジタルカメラ１０の制御部３２は、ＯＶＦモードに設定されると、ＯＶＦシャッタ２２を開状態にする。また、ＯＶＦモードにおいて、制御部３２は、プリズム１８ｄ’とフィールドレンズ１８ｅは、予め決められた位置（例えば図６に示した位置）において固定とし、ズーム操作に応じて、ズームレンズ１８ｂ’，１８ｃ’を光軸Ｌ方向に移動させることで、ファインダ装置１５のファインダ倍率変更を行う。
【００６９】
ＯＶＦモードにおけるフィールドレンズ１８ｅの位置は、結像面２１に集光される被写体光が接眼窓１７に全て入射できるように、結像面２１近傍となっている。
【００７０】
ＥＶＦモードに設定されると、制御部３２は、ＯＶＦシャッタ２２を閉状態とし、更に、図７に示すように、ズームレンズ１８ｂ’，１８ｃ’、プリズム１８ｄ’、及びフィールドレンズ１８ｅを、光軸Ｌに沿って被写体側に移動させる制御を行う。この制御により、フィールドレンズ１８ｅと結像面２１との距離がＯＶＦモード時よりも大きくなる。
【００７１】
そして、制御部３２は、上記制御を行って広がるスペースに、表示部１９を挿入する制御を行う。このとき、表示部１９の表示面と結像面２１が一致するように表示部１９を挿入する。
【００７２】
なお、ＥＶＦモードからＯＶＦモードに切り替えるとき、制御部３２は、図７の状態で表示部１９を結像面２１の位置から退避させ、その後、対物光学系１８’を図６の状態に戻す。
【００７３】
以上のように、ファインダ装置１５ａを用いることでも、表示部１９の挿脱を、フィールドレンズ１８ｅと近接させない状態で行うことができ、ファインダ装置１５と同様の効果を得ることができる。
【００７４】
また、ファインダ装置１５ａは、一般的なズームファインダにおいて、対物光学系の最も接眼光学系側の部材であるフィールドレンズを光軸方向に移動できるようにするだけで、上記効果を得ることができる。ズームファインダは、もともと対物光学系の一部を移動させる機構を有するため、その機構を流用することで、製造コストを抑えることができる。
【００７５】
図８は、図２に示すファインダ装置１５の変形例であるファインダ装置１５ｂの構成を示す図である。
【００７６】
ファインダ装置１５ｂは、プリズム１８ｄ’の位置を固定とした点と、フィールドレンズ１８ｅを光軸Ｌに対して交差する方向に移動自在に設けた点と、を除いては、ファインダ装置１５ａと同じ構成である。
【００７７】
ファインダ装置１５ｂを搭載するデジタルカメラ１０の制御部３２は、ＯＶＦモードに設定されると、ＯＶＦシャッタ２２を開状態にする。ＯＶＦモードにおいて、制御部３２は、レンズ１８ａ’及びプリズム１８ｄ’は、図８に示した位置において固定とし、ズーム操作に応じて、ズームレンズ１８ｂ’，１８ｃ’を光軸Ｌ方向に移動させることで、ファインダ装置１５ｂのファインダ倍率変更を行う。
【００７８】
ＯＶＦモードにおけるフィールドレンズ１８ｅの位置は、結像面２１に集光される被写体光が接眼窓１７に全て入射できるように、結像面２１近傍となっている。
【００７９】
ＥＶＦモードに設定されると、制御部３２は、ＯＶＦシャッタ２２を閉状態とし、更に、図９に示すように、フィールドレンズ１８ｅと表示部１９の位置を入れ替える制御を行う。
【００８０】
例えば、円盤状の部材の円周方向にフィールドレンズ１８ｅと表示部１９を並べて設けておく。制御部３２は、この部材を回転させることで、プリズム１８ｄ’とプリズム２０ａ’の間に、フィールドレンズ１８ｅと表示部１９のいずれかを挿入した状態を作る。
【００８１】
ＯＶＦモード時には、光軸Ｌ方向において結像面２１に隣接する対物光学系１８’の部材はフィールドレンズ１８ｅとなるため、結像面２１と対物光学系１８’との間にスペースはほとんどない。これに対し、上記入れ替えの制御を行うと、光軸Ｌ方向において結像面２１に隣接する対物光学系１８’の部材がプリズム１８ｄ’になるため、結像面２１と対物光学系１８’との間にスペースが生まれる。
【００８２】
制御部３２は、この生まれたスペースに、表示部１９を挿入する。これにより、フィールドレンズ１８ｅと表示部１９の背面とが近接した状態になるのを避けることができ、表示部１９の挿脱に伴う異物のフィールドレンズ１８ｅへの付着が防止される。したがって、ＯＶＦモード時における観察画像の視認性低下を防ぐことができる。
【００８３】
図４の動作説明では、ＥＶＦモード時に、制御部３２が、対物光学系１８を構成する全ての光学部材を被写体側に移動させるものとしたが、対物光学系１８の最も接眼光学系２０側にある光学部材を少なくとも被写体側に移動させることでも上記効果を得ることができる。
【００８４】
ファインダ装置１５ａについても同様に、ＥＶＦモード時に、少なくともフィールドレンズ１８ｅを結像面２１から離れる方向に移動させればよい。
【００８５】
なお、ファインダ装置１５は、対物光学系１８に光軸Ｌ方向に移動可能なズームレンズを含む構成であってもよい。この場合は、ファインダ装置１５ａと同様に、ズーム機構を流用することによる製造コストの削減が可能となる。また、ズームファインダでは、ズームレンズを動かすスペースが元々あるため、ＥＶＦモード時に対物光学系の一部を動かす構成を採用することが設計上も容易になる。
【００８６】
ファインダ装置１５，１５ａにおいて、対物光学系の最も被写体側にある光学部材をＥＶＦモード時に動かすときのその移動量は、表示部１９を挿入する際に異物が当該光学部材に付着しない程度の距離とすればよい。
【００８７】
以上ではデジタルカメラを例にしたが、ファインダ装置を搭載する撮像装置であれば本発明を適用可能である。例えば、カメラ付のスマートフォンにファインダ装置を設ける場合でも本実施形態の技術を適用することができる。
【００８８】
以上説明してきたように、本明細書には以下の事項が開示されている。
【００８９】
開示された撮像装置は、対物光学系を有し、前記対物光学系によって結像面に結像された被写体を観察可能な光学ファインダを有する撮像装置であって、前記光学ファインダは、前記結像面よりも接眼窓側に設けられる位置固定の接眼光学系と、前記結像面の位置に挿脱自在に設けられる表示装置とを含み、前記表示装置の挿脱を制御する表示装置制御部と、前記対物光学系を構成する光学部材の位置を制御する対物光学系制御部と、を備え、前記対物光学系制御部は、前記表示装置に表示される画像を前記接眼窓から観察する電子ファインダモードにおいて、前記対物光学系の最も前記結像面側にある光学部材の位置を、前記結像面に結像される被写体を前記接眼窓から観察する光学ファインダモードにおける当該位置とは変えて、前記結像面と前記結像面に対し垂直かつ被写体側の方向にある前記対物光学系を構成する光学部材との距離を、前記光学ファインダモードにおける当該距離よりも大きくする位置制御を行い、前記表示装置制御部は、前記電子ファインダモードにおいては、前記対物光学系制御部の前記位置制御により、前記距離が大きくなった状態で、前記結像面の位置に前記表示装置を挿入させる制御を行うものである。
【００９０】
開示された撮像装置は、前記対物光学系の最も前記結像面側にある光学部材は、前記光学ファインダモードにおいて前記結像面近傍に配置されるフィールドレンズであるものを含む。
【００９１】
開示された撮像装置は、前記電子ファインダモードにおいて、前記対物光学系制御部は、前記フィールドレンズを、前記光学ファインダモードにおける状態よりも前記光軸方向において被写体側に移動させることで、前記距離を大きくするものである。
【００９２】
開示された撮像装置は、前記電子ファインダモードにおいて、前記対物光学系制御部は、前記フィールドレンズを前記対物光学系の光軸上から退避させることで、前記距離を大きくするものである。
【００９３】
開示された撮像装置は、前記電子ファインダモードにおいて、前記対物光学系制御部は、前記対物光学系の最も前記結像面側にある光学部材を、前記光学ファインダモードにおける状態よりも前記対物光学系の光軸方向において被写体側に移動させることで、前記距離を大きくするものである。
【００９４】
開示された撮像装置は、前記電子ファインダモードにおいて、前記対物光学系制御部は、前記対物光学系の最も前記結像面側にある光学部材を、前記光学ファインダモードにおける状態よりも前記対物光学系の光軸に交差する方向に移動させることで、前記距離を大きくするものである。
【００９５】
開示された撮像装置は、前記対物光学系は光軸方向に移動可能なズームレンズを含むものである。
【符号の説明】
【００９６】
１０  デジタルカメラ
１５  ファインダ装置
１６  接眼窓
１８  対物光学系
１９  表示部
２０  接眼光学系
２１  結像面
３２  制御部
【図１】
2013146021.tif 000003
【図２】
2013146021.tif 000004
【図３】
2013146021.tif 000005
【図４】
2013146021.tif 000006
【図５】
2013146021.tif 000007
【図６】
2013146021.tif 000008
【図７】
2013146021.tif 000009
【図８】
2013146021.tif 000010
【図９】
2013146021.tif 000011
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
対物光学系を有し、前記対物光学系によって結像面に結像された被写体を観察可能な光学ファインダを有する撮像装置であって、
前記光学ファインダは、前記結像面よりも接眼窓側に設けられる位置固定の接眼光学系と、前記結像面の位置に挿脱自在に設けられる表示装置とを含み、
前記表示装置の挿脱を制御する表示装置制御部と、
前記対物光学系を構成する光学部材の位置を制御する対物光学系制御部と、を備え、
前記対物光学系制御部は、前記表示装置に表示される画像を前記接眼窓から観察する電子ファインダモードにおいて、前記対物光学系の最も前記結像面側にある光学部材の位置を、前記結像面に結像される被写体を前記接眼窓から観察する光学ファインダモードにおける当該位置とは変えて、前記結像面と前記結像面に対し垂直かつ被写体側の方向にある前記対物光学系を構成する光学部材との距離を、前記光学ファインダモードにおける当該距離よりも大きくする位置制御を行い、
前記表示装置制御部は、前記電子ファインダモードにおいては、前記対物光学系制御部の前記位置制御により、前記距離が大きくなった状態で、前記結像面の位置に前記表示装置を挿入させる制御を行う撮像装置。
【請求項２】
請求項１記載の撮像装置であって、
前記対物光学系の最も前記結像面側にある光学部材は、前記光学ファインダモードにおいて前記結像面近傍に配置されるフィールドレンズである撮像装置。
【請求項３】
請求項２記載の撮像装置であって、
前記電子ファインダモードにおいて、前記対物光学系制御部は、前記フィールドレンズを、前記光学ファインダモードにおける状態よりも前記対物光学系の光軸方向において被写体側に移動させることにより、前記距離を大きくする撮像装置。
【請求項４】
請求項２記載の撮像装置であって、
前記電子ファインダモードにおいて、前記対物光学系制御部は、前記フィールドレンズを前記対物光学系の光軸上から退避させることにより、前記距離を大きくする撮像装置。
【請求項５】
請求項１記載の撮像装置であって、
前記電子ファインダモードにおいて、前記対物光学系制御部は、前記対物光学系の最も前記結像面側にある光学部材を、前記光学ファインダモードにおける状態よりも前記対物光学系の光軸方向において被写体側に移動させることにより、前記距離を大きくする撮像装置。
【請求項６】
請求項１記載の撮像装置であって、
前記電子ファインダモードにおいて、前記対物光学系制御部は、前記対物光学系の最も前記結像面側にある光学部材を、前記光学ファインダモードにおける状態よりも前記対物光学系の光軸に交差する方向に移動させることにより、前記距離を大きくする撮像装置。
【請求項７】
請求項１〜６のいずれか１項記載の撮像装置であって、
前記対物光学系は光軸方向に移動可能なズームレンズを含む撮像装置。
【国際調査報告】
2013146021.tif 000012
2013146021.tif 000013